(57)【要約】【課題】キッチン設備に音響及び／又は映像の出力機能を付与する。【解決手段】キッチン設備Ｋの開放された左右側面部又は背面部に音響及び／又は映像の出力機能を有する出力装置を備える機能パネル１０を設置する。機能パネル１０が出力部を備えるのでワークトップ１の作業領域を全く損なわず既設キッチン設備への適用が簡単である。機能パネル１０の上端部はワークトップ１より高く設定され且つ上方領域は開放される。作業者と出力部とが近距離となり個人的な観賞に適しているので、効率良く情報や音響又は映像を視聴でき、その際、大音量を要しないので、リビングルーム等での観賞に支障を与えない。機能パネル１０の背面部Ｙに再生機器２０の収納部Ｓを形成し、その内部に出力装置の操作部及び入力部を設けたから、キッチン作業中に生じる水・油・食材等の飛沫がこれらに付着するおそれがない。【選択図】      図１
2006217976.tif 000002
【特許請求の範囲】
【請求項１】
左右側面部又は背面部のうちの少なくとも一面部が空間に開放している開放面部に成されたキッチン設備において、前記開放面部に、音響及び／又は映像の出力装置を備える機能パネルが設けられ、当該機能パネルは、上端部が前記キッチン設備の上面部より高く設定されると共に上端部の上方領域が開放され、前記機能パネルにおける前記作業領域を臨む正面側に前記出力装置の出力部が配置されると共に、前記機能パネルの背面側に前記出力装置の操作部及び／又は入力部が配置されていることを特徴とする音響又は映像の出力機能を有するキッチン設備。
【請求項２】
前記キッチン設備は、調理等を行う作業領域と食事等を行う非作業領域との間に設置される対面式キッチン設備である請求項１に記載の音響又は映像の出力機能を有するキッチン設備。
【請求項３】
前記出力装置の出力部がディスプレイ装置等の映像表示装置を備えている請求項１又は２に記載の音響又は映像の出力機能を有するキッチン設備。
【請求項４】
前記機能パネルの背面側に収納部を設けた請求項１乃至３のいずれかに記載の音響又は映像の出力機能を有するキッチン設備。
【発明の詳細な説明】
【技術分野】
【０００１】
本発明は、流し台・コンロ台・調理台等のうち、少なくとも一つを備えたキッチン設備に、音楽や音声等の音響及び／又は動画・静止画・文字等の映像を出力する機能を付与したものに関する。
【背景技術】
【０００２】
キッチンで調理作業等を行いながら、所望する情報を音声や画像として入手したり、娯楽や教養として音楽や映像を試聴したりできるようにしたキッチン設備が従来各種提案されている。特許文献１には、レシピ・材料・コスト・カロリー計算・身体情報等の情報を表示する装置を、キッチン設備における様々な箇所、例えば水栓器具、引き出し、流し台の幕板、ワークトップのバックガード、床面、コンロ部背後の防火パネル、吊り戸棚の扉や下面、ワークトップにおけるコンロ部と作業スペースとの間の仕切りパネル等に設置することが記載されている。また特許文献２には、テレビ画像表示部をキッチンの上部収納庫（アッパーキャビネット）の底板に垂設することが記載されている。特許文献３には、テレビやパソコンのディスプレイを、キッチンの壁面に形成した凹部に収容することが記載されている。さらに特許文献４には、対面型キッチンにおいてコンロ部の背後にレンジファンまで壁を立ち上げ、この壁の背面側にパソコンに接続したスピーカー付き液晶ディスプレイを設置し、反キッチン側からこのパソコンを操作してディスプレイに表示させた情報を読み取ることが記載されている。
【特許文献１】特開２０００−５０９８２公報
【特許文献２】特開２００４−２４１９１９公報
【特許文献３】特開２００１−２５２１４０公報
【特許文献４】特開２００２−３６９公報
【発明の開示】
【発明が解決しようとする課題】
【０００３】
特許文献１に記載される情報表示装置の設置箇所のうち、水栓器具、引き出し、流し台の幕板、床面等は、必ずしも使用者に便利な位置とは言えない。また、ワークトップのバックガード、コンロ部背後の防火パネル、ワークトップにおけるコンロ部と作業スペースとの間の仕切りパネル等を表示装置の設置箇所としたときは、キッチン設備上面における調理作業や食材・食器・調理器具等の仮置きのための作業スペースが狭くなるという問題を生じさせる。
【０００４】
また最近は、キッチン等の作業領域とリビング等の非作業領域との間に設置され、キッチンとリビングとの間で料理や食器の受け渡しなど各種やりとりを直接的に行えるように構成した対面式キッチン設備が利用されつつある。この種の対面式キッチン設備にあっては、正面部に壁面を設けず、また上方にアッパーキャビネットを設置しないことが多い。そのため、前記特許文献１に記載されるような吊り戸棚の扉や下面に情報表示装置を設置する構成、特許文献２の如くテレビ画像表示部をキッチンの上部収納庫の底板に垂設する構成、及び、特許文献３の如くテレビやパソコンのディスプレイを壁面の凹部に収容する構成は採用することができない。
【０００５】
さらに特許文献４に記載したように、コンロ部の背後にレンジファンまで立ち上げた壁を設け、この壁に液晶ディスプレイを設置する構成は、この壁によって、キッチンとリビングルームとの間の見通しが悪くなり、対面式キッチン設備の開放性を損なわれるという問題を生じさせる。
【課題を解決するための手段】
【０００６】
本発明は、前記従来の問題点を解決できる音響又は映像の出力機能を有するキッチン設備を提供するものであって、その特徴とするところは、請求項１に記載の如く、左右側面部又は背面部のうちの少なくとも一面部が空間に開放している開放面部に成されたキッチン設備において、前記開放面部に、音響及び／又は映像の出力装置を備える機能パネルが設けられ、当該機能パネルは、上端部が前記キッチン設備の上面部より高く設定されると共に上端部の上方領域が開放され、前記機能パネルにおける前記作業領域を臨む正面側に前記出力装置の出力部が配置されると共に、前記機能パネルの背面側に前記出力装置の操作部及び／又は入力部が配置されていることである。
【０００７】
ところで本明細書では、キッチン設備において、流しや加熱調理器を使用して食材・食器の洗浄や調理等を行う作業領域に面している側を正面部とし、該正面部に対向する反対側を背面部、正面部の側方部を側面部と定義する。また本発明の適用対象となるのは、左右側面部又は背面部のいずれか一面部が開放されていればよく、従って、左右いずれか一方の側面部が開放している場合、背面部が開放している対面式の場合、及び、左右の側面部及び背面部の全てが開放しているいわゆるアイランド型の場合を含んでいる。音響及び／又は映像の出力装置とは、ラジオ、テレビ、ＣＤプレーヤ・ＭＤプレーヤ・ＭＰ３プレーヤ等の携帯音楽プレーヤとスピーカとの組み合わせ、カセットレコーダやＩＣレコーダ等の録音再生機器とスピーカとの組み合わせ、ビデオデッキ・ＤＶＤプレーヤとスピーカとディスプレイ装置との組み合わせ、パソコンやＰＤＡ（携帯情報端末）とディスプレイ装置との組み合わせ等が挙げられる。
【０００８】
機能パネルの正面側に配置される出力装置の出力部とは、スピーカやディスプレイ装置等である。これに対し、機能パネルの背面側に配置される出力装置の操作部及び／又は入力部とは、装置のＯＮ・ＯＦＦを制御するスイッチ、音量を制御するボリューム調整器、ラジオやテレビのチャンネル選択器、携帯音楽プレーヤやＰＤＡ等を接続するための接続端子等が挙げられる。
【０００９】
本発明に係る前記キッチン設備は、請求項２に記載の如く、調理等を行う作業領域と食事等を行う非作業領域との間に設置される対面式キッチン設備であってもよい。
【００１０】
また前記キッチン設備にあっては、請求項３に記載の如く、前記出力装置の出力部がディスプレイ装置等の映像表示装置を備えているものとすることができる。
【００１１】
さらに前記キッチン設備において、請求項４に記載の如く、前記機能パネルの背面側に収納部を設けてもよい。
【発明の効果】
【００１２】
請求項１に係るキッチン設備は、開放されている左右側面部又は背面部に音響及び／又は映像の出力装置を備える機能パネルを設けるので、キッチン設備のワークトップ上面のスペースを犠牲にすることがない。すなわちワークトップ上面を、調理等の作業用スペース及び食材・調理器具等の仮置き場所として有効に利用することが可能である。機能パネルの設置箇所をキッチン設備における開放面部としたから、施工が簡単であり、機能パネルを既設のキッチン設備に後から付設するのが可能である。機能パネルの上端部をキッチン設備の上面部より高く設定したので、作業中に生じる水・油・食材等の飛沫が、機能パネルの後方側領域に飛散するのを防止できる。しかも機能パネルの上方領域を開放したので、キッチン設備の開放性を損なうことがなく、作業者から機能パネルの後方側に位置するリビングルーム等の見通しが良い。機能パネルにおける作業領域を臨む正面側に出力装置の出力部を配置したから、作業者が音響や映像を試聴し易い。機能パネルの背面側に水と接すると故障や不調を生じやすい出力装置の操作部及び／又は入力部を配置したので、キッチンでの作業中に生じる水・油・食材等の飛沫が上記操作部及び／又は入力部に付着するおそれをなくせる。
【００１３】
請求項２に記載するように、本発明は、音響及び／又は映像の出力装置を設置するのが従来困難であった対面式キッチン設備に適用することができ、それによって、ワークトップ上面の作業スペースを何ら犠牲にすることなく、且つ、対面式キッチン設備の開放性を全く損なうことなく、効率的に音響や映像を試聴できるという顕著な効果が発揮される。
【００１４】
請求項３に記載の如く、出力装置の出力部がディスプレイ装置等の映像表示装置を備える場合は、音響のみの場合と比べて、より多くの情報を入手することが容易である。
【００１５】
請求項４に記載の如く、機能パネルの背面側に収納部を設けた場合は、キッチン作業中に生じる水等の飛沫を受けにくい箇所に、携帯音楽プレーヤ等の再生機器や、ＣＤ・ＭＤ・ＤＶＤ等の記録媒体を収納することが可能である。
【発明を実施するための最良の形態】
【００１６】
［第１の実施形態］
図１は本発明を適用して音響又は映像の出力機能を付与したキッチン設備Ｋの一例を示す斜視図、図２（Ａ）は同キッチン設備Ｋの要部を示す正面図、図２（Ｂ）は同キッチン設備Ｋの右側面図である。図示したキッチン設備Ｋは、調理等を行う作業領域（キッチンＤ側）と、食事等を行う非作業領域（リビングルームＬ側）との間に設置される対面式のフロアキャビネットであって、キャビネット部２の上面部に形成されたワークトップ１には、吐水栓４を有するシンク３やガスコンロ等の加熱調理器５が設けられている。
【００１７】
前記キッチン設備Ｋは、一方の側面部（図示する例では左側面部）に、音響又は映像の出力機能を有する出力装置を備える機能パネル１０を設置したところを特色とする。機能パネル１０にスピーカ１１等の音響出力部あるいはディスプレイ装置１２等の映像出力部を具備させたので、ワークトップ１の作業領域を全く損なうことなく、音響又は映像の出力機能を付与することができる。キッチン設備Ｋの開放された一側面部に機能パネル１０を取り付ける構成は、躯体壁面、ワークトップ１又はキャビネット２に出力装置を組み込む場合に比べて、既設のキッチン設備への適用が簡単であるという利点を有している。
【００１８】
機能パネル１０は、その高さ寸法が、図１及び図２に示す如く、ワークトップ１の上面部位置より高く設定され、スピーカ１１やディスプレイ装置１２等を配置可能な高さとなっている。但し、あまり高くしすぎると、作業者が作業領域（キッチン）から機能パネル１０の後方側領域（リビングルーム等）を見渡すのに支障をきたし、対面式キッチン設備Ｋの開放性が損なわれる。このような観点から、作業者（女性である場合が多い）の一般的な身長を勘案して、機能パネル１０の高さ寸法は１５００ｍｍ以下好ましくは１２００ｍｍ以下に設定するのがよい。
【００１９】
前記機能パネル１０に備えられる音響又は映像の出力装置は、音響出力部であるスピーカ１１及び／又は映像出力部であるディスプレイ装置１２と、音声信号及び／又は映像信号の調整・増幅等を行う制御器１３とで構成される。但し、スピーカ１１やディスプレイ装置１２と制御器１３とが一体構成された出力装置の場合も考えられる。制御器１３の配置は、例えば図３に示すように、その主要部を機能パネル１０を構成する天板１０ａ、正面板１０ｂ及び背面板１０ｃで囲まれた中空部内に組み込み、操作面１３ａを背面板１０ｃに臨ませることが考えられる。
【００２０】
他方、スピーカ１１及びディスプレイ装置１２等の音響又は映像の出力部は正面板１０ｂに取り付けられ、図４に示す如く、機能パネル１０における正面部Ｘの上方領域に、キッチン作業領域に面するよう配置され、キッチン作業領域に居る人へ向けて所望の音響又は映像を提供する。スピーカ１１又はディスプレイ装置１２等の音響又は映像の出力部を機能パネル１０の正面部Ｘ上方に配置したから、作業者と上記出力部とが比較的近距離となる。それ故、作業者は、音響又は映像を通じて必要な情報を効率良く入手したり、所望する音響又は映像を享受したりすることができ、その際、大音量を要しないので、リビングルーム等でのテレビ・映画・音楽等の観賞に支障を与えることがほとんどない。なお状況に応じ、スピーカ１１又はディスプレイ装置１２のいずれか一方だけ配置することも妨げない。スピーカ１１に代え、アクチュエータやエキサイタ等の振動発生素子を機能パネル１０の正面板１０ｂに取り付け、正面板１０ｂ自体を音響出力部と成すことも考えられる。映像出力部は、液晶ディスプレイ装置や有機ＥＬディスプレイ装置のように、小型で厚みを薄くできる装置を使用することが好ましい。
【００２１】
図５に示すように、本例では、機能パネル１０の背面部Ｙにおける制御器１３の操作面１３ａを臨ませた箇所に、ＤＶＤプレーヤ・ＣＤプレーヤ等の音響及び／又は映像の再生機器２０や、ＤＶＤやＣＤ等の音響及び／又は映像の記録媒体２１を収納できる収納部Ｓを形成した。この収納部Ｓ内に、出力装置の操作部となる電源スイッチ１４や音量制御用のボリューム調整器１６、入力部となるＤＶＤプレーヤ２０と配線接続するための入力端子１５、及び、ＤＶＤプレーヤ２０やＤＶＤ２１の姿勢を保持するためのホルダー１７が設けられる。本発明では、制御器１３の操作部や入力部を有する操作面１３ａ、及び、ＤＶＤプレーヤ等の再生機器２０を配置する収納部Ｓを、機能パネル１０の背面側に設けたから、キッチン作業中に生じる水・油・食材等の飛沫がこれらに付着するおそれがない。よって出力装置の制御器１３や再生機器２０が、汚れたり故障したりするのを防止することができ、また必要時に清掃するのも容易である。なお収納部Ｓを、上記操作面１３ａとは別の箇所に形成することも妨げない。また所望により、制御器１３やＤＶＤプレーヤ等再生機器２０の遠隔操作用リモコン３０を保持するブラケット３１を、機能パネル１０の背面部Ｙに設けたり、側端面Ｚに電源コンセント１８を設けてもよい。
【００２２】
制御器１３は、接続した再生機器２０の音声信号や映像信号が入力される入力器としての機能のほか、テレビやラジオのチューナ機能を有する場合は、図示は省略したが、操作面１３ａにチャンネル選択ボタンや同調摘みを設けてもよく、あるいは前記リモコン３０でチャンネル操作できるようにしてもよい。また、テレビ出力とＤＶＤ再生のように複数機能を持つときは、操作面１３ａに切換スイッチを設けることが望ましい。さらに制御器１３がパソコンであるか又はパソコン機能を有する場合も考えられる。
【００２３】
出力される音響及び／又は映像の種類は、機能パネル１０に組み込まれる出力装置の機能に応じて決められる。音のみを出力する場合としては、出力装置がラジオのとき、ラジオチューナとして使用するとき、ＣＤプレーヤ等の携帯音楽プレーヤを接続するときなどが考えられ、出力される内容としては、音楽・ラジオドラマ・ニュース番組・音声化された学習教材や教養情報などが挙げられる。映像のみを出力する場合としては、制御器１３がパソコンのとき、ＤＶＤプレーヤやビデオデッキを接続して音声を伴わない映像や文字情報を再生するときなどが考えられる。音響と映像の両方を出力する場合は、出力装置が上記のパソコンのときや、ＤＶＤプレーヤやビデオデッキを接続したときのほか、テレビであるとき、テレビチューナとして使用するときなどが考えられ、出力内容としては、テレビ番組・映画・ドラマ・音楽映像・その他の情報番組などである。
【００２４】
このようなキッチン設備Ｋは様々な使用態様が考えられるが、例えば出力装置で料理レシピを音声及び／又は映像で表示させることにより、手順や材料の種類・分量等を確認しながら作業を進めることができるので、たとえ不案内な料理であっても手際よく円滑に調理できるという利点が得られる。また、出力装置に計時機能を持たせて、キッチンタイマーとして利用することも考えられる。
【００２５】
機能パネル１０に設けた音響又は映像の出力部は、個人的な観賞に適しているので、キッチンに居る人が、リビングルーム等に設置したテレビの番組とは異なる番組を視聴したり、ＤＶＤ等で映画を鑑賞したりすることが可能であり、その際、リビングルームでテレビ視聴をしている人に迷惑をかけるおそれがない。あるいはリビングルームのテレビと同調させた番組を出力させることもでき、この場合、キッチンとリビングルームとの間で話題の共通化を図れる。
【００２６】
出力装置がパソコン機能を有する場合は、これをインターネットに接続することで、料理レシピを始めとする様々な情報を、キッチンで手軽に入手することが可能となる。
【００２７】
さらに、玄関・居室・ベランダ・庭その他の家屋適所に監視カメラを設置し、その映像をディスプレイ装置１２に表示させるように構成すれば、訪問者の確認モニターあるいは侵入者の有無を監視する監視モニターとして機能させることができる。
【００２８】
［第２の実施形態］
図６に示すように、機能パネル１０を、キッチン設備Ｋの背面部に設けることも可能である。本例では、キャビネット２の背面部と機能パネル１０との間に適当な摺動構造を設け、機能パネル１０をキャビネット２に沿って間口方向に移動可能としてある。これにより、キッチン作業者が音響及び／又は映像を視聴するのに最も適した位置へ、機能パネル１０を配置することが可能となる。また不使用には、作業者がリビングルーム等を目視するのに障害とならない位置へ機能パネル１０を移動させることができる。なお施工状況に応じ、キッチン設備Ｋの背面部に、機能パネル１０を固定して配置することも妨げない。
【００２９】
［第３の実施形態］
機能パネル１０に設けられる出力装置の音響又は映像の出力部を、機能パネル１０の外側に取り付けることも考えられる。図７は、出力装置の映像出力部であるディスプレイ装置１２を、機能パネル１０の上面に取り付けた例である。このディスプレイ装置１２は、支持軸１２ａを中心に回動可能になされており、使用者が見やすい位置に調整することができる。音響出力部となるスピーカ１１についても、所望により、機能パネル１０から分離して外側適所へに配置することも妨げない。上記支持軸１２ａに代えて、正面部Ｘ又は背面部Ｙにアームを突設し、その先端部に音響又は映像の出力部を取り付ける態様も考えられる。なお同図に例示するように、機能パネル１０の正面側に照明装置２２を配置することも可能である。
【００３０】
［その他の実施形態］
本発明に係るキッチン設備Ｋは、図８の（Ａ）に示すような、正面側がキッチンＤ、背面側がリビングルームＬとなるように配置される対面式キッチンに適用するほか、同図の（Ｂ）に示されるように、一方の側面部のみがリビングルームＬに開放しているように配置されたキッチン設備Ｋにも適用される。
【００３１】
また図示は省略するが、機能パネル１０を、キッチン設備Ｋの左右側面部両方に配置する構成、背面部と左右いずれか一方の側面部に配置する構成、さらには左右両側面部と背面部との三方に配置する構成も可能である。
【図面の簡単な説明】
【００３２】
【図１】本発明の第１の実施形態に関するものであって、対面式キッチン設備の一例を示す斜視図である。
【図２】本発明の第１の実施形態に関するものであって、図（Ａ）は対面式キッチン設備の要部を示す正面図、図（Ｂ）は同対面式キッチン設備の右側面図である。
【図３】本発明の第１の実施形態に関するものであって、機能パネルの一例を示す要部の側面断面図である。
【図４】本発明の第１の実施形態に関するものであって、機能パネルの一例を示す正面側から見た斜視図である。
【図５】本発明の第１の実施形態に関するものであって、機能パネルの一例を示す背面側から見た斜視図である。
【図６】本発明の第２の実施形態に関するものであって、図（Ａ）は対面式キッチン設備の一例を示す斜視図、図（Ｂ）は同対面式キッチン設備の背面図である。
【図７】本発明の第３の実施形態に関するものであって、図（Ａ）は対面式キッチン設備の要部を示す正面図、図（Ｂ）は同対面式キッチン設備の右側面図、図（Ｃ）は同対面式キッチン設備の要部を示す平面図である。
【図８】本発明に係るキッチン設備の施工例を示す平面断面図であって、図（Ａ）は対面式の場合、図（Ｂ）は一側面部のみ開放している場合である。
【符号の説明】
【００３３】
１…ワークトップ  ２…キャビネット  ３…シンク  ４…水栓器具  ５…加熱調理機（ガスコンロ）  １０…機能パネル  １１…スピーカ  １２…ディスプレイ装置  １３…制御器  １３ａ…操作面  １４…電源スイッチ  １５…接続端子（ジャック）  １６…ボリューム調整器  １７…ホルダー  １８…電源コンセント  １８…制御器  ２０…再生機器  ２１…記録媒体  ３０…リモコン  ３１…ブラケット  Ｋ…キッチン設備  Ｓ…収納部
【図１】
2006217976.tif 000003
【図２】
2006217976.tif 000004
【図３】
2006217976.tif 000005
【図４】
2006217976.tif 000006
【図５】
2006217976.tif 000007
【図６】
2006217976.tif 000008
【図７】
2006217976.tif 000009
【図８】
2006217976.tif 000010